(57)【要約】【課題】剛性を確保し、そりの発生を防止し、電磁波の侵入及び放射を抑制しつつ、軽量化を実現することが可能な光ディスク装置を提供することを目的とする。【解決手段】トレイが筐体内に収納されるときにレールをガイドするレールガイド１９と側面部２０、レールガイド１９と張出部２１とは、樹脂によって一体として形成されている。樹脂として、カーボン等の導電性物質を含有する導電性樹脂が用いられる。樹脂には金属メッキが施されており、特に、レールが摺動する部分には潤滑性を有するメッキが施されている。【選択図】図４
2006164385.tif 000002
【特許請求の範囲】
【請求項１】
上カバーと下カバーを互いに固定して構成された筐体と、光ディスクを回転させる駆動手段と光ピックアップモジュールとを搭載したトレイと、制御部を構成する回路部とを備えた光ディスク装置であって、前記上カバーは金属で形成され、前記下カバーの底部は金属で形成され、前記下カバーの側面部及び張出部とレールガイドは樹脂で形成されていることを特徴とする光ディスク装置。
【請求項２】
前記下カバーの側面部とレールガイドは樹脂により一体成形され、前記下カバーの張出部とレールガイドは樹脂により一体成形されていることを特徴とする請求項１記載の光ディスク装置。
【請求項３】
前記樹脂は導電性樹脂であることを特徴とする請求項１または２記載の光ディスク装置。
【請求項４】
前記樹脂に金属メッキが施され、または金属シールが貼られていることを特徴とする請求項１から３のいずれかに記載の光ディスク装置。
【請求項５】
前記金属メッキは潤滑性を有するメッキであることを特徴とする請求項４記載の光ディスク装置。
【請求項６】
前記下カバーの側面部及び張出部に設けられた取り付け部はインサートナットによって形成されていることを特徴とする請求項１から５のいずれかに記載の光ディスク装置。
【発明の詳細な説明】
【技術分野】
【０００１】
本発明は、パーソナルコンピュータなどの電子機器に搭載され、更に好ましくは、モバイル型の電子機器に搭載されるのに好ましい光ディスク装置に関する。
【背景技術】
【０００２】
光ディスク装置は、ＣＤ−ＲＯＭ、ＣＤ−Ｒ／ＲＷ、ＤＶＤなどがすでに実用化されており、各方面への応用と高性能化への開発が活発に行われている。特に最近では、パーソナルコンピュータの急速な市場拡大に伴い光ディスク装置のパーソナルコンピュータへの内蔵普及率も高くなっており、光ディスク装置の薄型化、軽量化が求められている。
【０００３】
従来の光ディスク装置の構成の斜視図を図８に示す。１は光ピックアップ、２はメインシャフト、３はサブシャフト、４はスピンドルモータ、５はベース、６は光ピックアップモジュール（ＰＵＭ）、７はトレイ、８はキャリッジ、９はレール、１０は筐体、１１は光ディスク装置、１２は光ディスク装置１１側の取り付けネジ穴、１３は制御回路等を構成する回路基板、１４はフレームである。
【０００４】
図８において、光ピックアップ１はメインシャフト２、サブシャフト３をガイドとしてスピンドルモータ４の径方向に動きながらスピンドルモータ部に取り付けられたディスクのデータの読み込みや書き込みを行なう。メインシャフト２、サブシャフト３はベース５に取り付けられ、全体として光ピックアップモジュール６を形成する。光ピックアップモジュール６はトレイ７に固定される。トレイ７はレール９によって筐体１０に対してスライドするようになっている。トレイ７は、光ディスク着脱時には筐体１０から引き出され、データの読み書き時には筐体１０の中に収められる。また、制御回路等を構成する回路基板１３はトレイまたは筐体の少なくとも一方に取り付けられている。以上の構成にて、全体として携帯用電子機器内蔵タイプの光ディスク装置１１が形成されている。
【０００５】
図９は従来の光ディスク装置における携帯用電子機器への取り付け方法を示す図である。１５は携帯用電子機器、１６は取り付けに介在させるアタッチメント、１７はアタッチメント側取り付け穴である。
【０００６】
図９において、光ディスク装置１１本体の筐体１０にはコンピュータ本体へ取り付ける取り付けネジ穴１２が設けられている。携帯用電子機器１５には取り付けに介在させるアタッチメント１６が有り、アタッチメント側取り付け穴１７と光ディスク装置１１側の取り付けネジ穴１２間をネジ止めし、アタッチメント１６を携帯用電子機器１５に装着する事によって光ディスク装置１１を装着固定する。
【０００７】
図１０は従来の光ディスク装置の中央部をトレイ引き出し方向に垂直な面で切った断面図である。１０ａは上カバー、１０ｂは下カバー、１０ｃは上カバーと下カバーの嵌合部、１０ｄはディスク収納部、１０ｅはドライブ収納部、１８はディスク、１９はレールガイドである。断面形状は光ディスク１８を収納するディスク収納部１０ｄと光ディスク装置のドライブ機構や回路を収納するドライブ収納部１０ｅを構成しており、両収納部の形状は主に下カバー１０ｂで構成されている。したがって下カバー１０ｂには両収納部の形状を形成するため２つの曲げ部１０ｆ、１０ｇを有している。また２つの曲げ部１０ｆ、１０ｇに接してレールガイド１９が構成されている。
【０００８】
図１１は、光ディスク装置の筐体の上カバー１０ａを取り外した状態を示す図である。トレイ７が筐体内に収納されるときにレール９をガイドするレールガイド１９は樹脂で形成されることが多いのに対して、下カバー１０ｂの側面部２０と張出部２１とは、通常金属で形成されている。
【０００９】
このように、レールガイド１９と、下カバー１０ｂの側面部２０と張出部２１とは、別個の材料を用いて独立した部品として形成されているため、組み立て工程においては、図１２に示すように、レールガイド１９を、下カバー１０ｂの側面部２０と張出部２１に取り付けていた。
【００１０】
光ディスク装置におけるトレーガイド構造体に関する先行技術として、例えば、特許文献１がある。
【特許文献１】特開２００３−１８７５１１号公報
【発明の開示】
【発明が解決しようとする課題】
【００１１】
近年は光ディスク装置に対する軽量化の要求が強く、モバイル型の電子機器に搭載される光ディスク装置においては特に顕著である。軽量化を実現するためには、使用する材料を変更することが考えられ、例えば、樹脂を用いて筐体全体を形成することができれば光ディスク装置の軽量化に大いに寄与する。
【００１２】
しかし、筐体全体を樹脂で形成すると、剛性に欠けてそりが発生しやすく、機械的強度が弱い。また、金属で形成する場合と異なり、外部から筐体内に電磁波が侵入し、また筐体内から外部に対して電磁波が放射されやすい。
【００１３】
本発明は、上記の課題を解決するためになされたもので、剛性を確保し、そりの発生を防止し、電磁波の侵入及び放射を抑制しつつ、軽量化を実現することが可能な光ディスク装置を提供することを目的とする。
【課題を解決するための手段】
【００１４】
本発明は、上記の課題を解決するためになされたもので、上カバーと下カバーを互いに固定して構成された筐体と、光ディスクを回転させる駆動手段と光ピックアップモジュールとを搭載したトレイと、制御部を構成する回路部とを備えた光ディスク装置であって、前記上カバーは金属で形成され、前記下カバーの底部は金属で形成され、前記下カバーの側面部及び張出部とレールガイドは樹脂で形成されていることを特徴とする光ディスク装置である。
【発明の効果】
【００１５】
本発明によると、上カバーを金属で形成し、下カバーの底部を金属で形成しているため、筐体全体として剛性を確保し、そりの発生を防止しつつ、下カバーの側面部及び張出部とレールガイドを樹脂で形成しているため、軽量化を実現することができる。
【発明を実施するための最良の形態】
【００１６】
本願の第１の発明は、上カバーと下カバーを互いに固定して構成された筐体と、光ディスクを回転させる駆動手段と光ピックアップモジュールとを搭載したトレイと、制御部を構成する回路部とを備えた光ディスク装置であって、前記上カバーは金属で形成され、前記下カバーの底部は金属で形成され、前記下カバーの側面部及び張出部とレールガイドは樹脂で形成されていることを特徴とする光ディスク装置である。
【００１７】
上カバーを金属で形成し、下カバーの底部を金属で形成しているため、筐体全体として剛性を確保し、そりの発生を防止しつつ、下カバーの側面部及び張出部とレールガイドを樹脂で形成しているため、軽量化を実現することができる。
【００１８】
本願の第２の発明は、第１の発明において、前記下カバーの側面部とレールガイドは樹脂により一体成形され、前記下カバーの張出部とレールガイドは樹脂により一体成形されていることを特徴とする。
【００１９】
樹脂により一体成形することにより、組み立て工数が削減されるとともに、寸法のばらつきを生じる要因を減らすことができ、組み立て精度が向上する。
【００２０】
本願の第３の発明は、第１または第２の発明において、前記樹脂は導電性樹脂であることを特徴とする。
【００２１】
導電性樹脂を用いることにより、レールの周囲に静電気が蓄積されてレールが帯電することを防止できる。導電性樹脂は、カーボン等の導電性を有する物質を樹脂に含有させることによって形成することができる。
【００２２】
本願の第４の発明は、第１から第３のいずれかの発明において、前記樹脂に金属メッキが施され、または金属シールが貼られていることを特徴とする。
【００２３】
樹脂に金属メッキが施され、または金属シールが貼られていることによって、外部から筐体内に電磁波が侵入し、また筐体内から外部に対して電磁波が放射されることを防止することができる。
【００２４】
本願の第５の発明は、第４の発明において、前記金属メッキは潤滑性を有するメッキであることを特徴とする。
【００２５】
潤滑性を有するメッキを施すことによって、レールが摺動する部分での潤滑性を高めてレールの動きをスムーズにすることができる。
【００２６】
本願の第６の発明は、第１から第５のいずれかの発明において、前記下カバーの側面部及び張出部に設けられた取り付け部はインサートナットによって形成されていることを特徴とする。
【００２７】
取り付け部をインサートナットによって形成することにより、樹脂を用いて側面部と張出部とを形成しても、板金で形成したときと同様の取り付け強度を確保することができる。
【００２８】
（実施の形態）
以下に、本発明の光ディスク装置をその実施の形態に基づいて説明する。
【００２９】
図１，図２はそれぞれ本発明の実施の形態における光ディスク装置の構成を裏面から見た斜視図及び電子機器への取り付け方法を示す図、図３は本発明の実施の形態における光ディスク装置の構成を表面から見た斜視図である。１は光ピックアップ、２はメインシャフト、３はサブシャフト、４はスピンドルモータ、５はベース、６はピックアップモジュール（ＰＵＭ）、７はトレイ、８はキャリッジ、９はレール、１０は筐体、１１は光ディスク装置、１２は光ディスク装置側の取り付けネジ穴、１３は制御回路等を構成する回路基板、１４はフレーム、１５は携帯用電子機器、１６は取り付けに介在させるアタッチメント、１７はアタッチメント側取り付け穴、１９はレールガイドである。
【００３０】
筐体１０は上カバー１０ａと下カバー１０ｂで構成されている。上カバー１０ａと下カバー１０ｂの底部は光ディスク装置１１の構成部材を保持し、かつ電子機器に固定するに十分な強度を維持できる材質で構成されており、鉄，鉄合金，アルミ，アルミ合金，マグネシウム合金などの金属材料、特にアルミニウムやアルミニウム合金のように軽量な金属材料が望ましい。また、その表面に耐食性などを向上させるために鍍金膜等を設けてもよい。上カバー１０ａは平板状であるが、端部に略直角な側面１０ｑを一部有している。
【００３１】
図４は、図３に示す光ディスク装置の筐体の上カバー１０ａを取り外した状態を示している。本実施の形態においては、トレイ７が筐体内に収納されるときにレール９をガイドするレールガイド１９と側面部２０、及びレールガイド１９と張出部２１とは、樹脂によって一体として形成されている。樹脂として、カーボン等の導電性物質を含有する導電性樹脂が用いられる。導電性樹脂を用いることにより、レール９の周囲に静電気が蓄積されてレール９が帯電することを防止できる。
【００３２】
また、上記の樹脂には金属メッキが施されており、特に、レール９が摺動する部分には潤滑性を有するメッキが施されている。金属メッキが施されていることにより、外部から筐体内に電磁波が侵入し、また筐体内から外部に対して電磁波が放射されることを防止するとともに、レール９が摺動する部分での潤滑性を高めてレール９の動きをスムーズにすることができる。また、メッキに替えて金属製のシールを貼ることも可能である。
【００３３】
取り付け部２２はインサートナットによって形成されている。取り付け部２２をインサートナットによって形成することにより、樹脂を用いて側面部２０と張出部２１とを形成しても、板金で形成したときと同様の取り付け強度を確保することができる。
【００３４】
図５は、レールガイド１９を一体成形した側面部２０と張出部２１とをボトムケース２４に取り付ける様子を示す。また、図６は、下カバー１０ｂの下面側から見た図であり、取り付けピン２３を溶接することによって側面部２０と張出部２１とはボトムケース２４に強固に固定されている。
【００３５】
図７に、下カバー１０ｂのＡ−Ａ断面図と、レールガイド１９の断面の詳細図を、従来のものと比較して示す。（ａ）が従来のものであり、（ｂ）が本発明の実施の形態に係るものである。従来のものでは、レールガイド１９は、側面部２０、張出部２１とは別個に形成されているが、本発明の実施の形態においては、レールガイド１９と側面部２０、レールガイド１９と張出部２１とは、樹脂によって一体として形成されている。
【産業上の利用可能性】
【００３６】
本発明は、パーソナルコンピュータなどの電子機器に搭載され、更に好ましくは、モバイル型の電子機器に搭載されるのに好ましい光ディスク装置として利用することができ、筐体の機械的強度を保持しつつ軽量化を実現することができる。
【図面の簡単な説明】
【００３７】
【図１】本発明の実施の形態における光ディスク装置の構成を裏面から見た斜視図
【図２】本発明の実施の形態における光ディスク装置を電子機器へ取り付ける方法を示す図
【図３】本発明の実施の形態における光ディスク装置の構成を表面から見た斜視図
【図４】本発明の実施の形態における光ディスク装置の筐体の上カバーを取り外した状態を示す図
【図５】レールガイドを一体成形した側面部と張出部とを下カバーに取り付ける様子を示す図
【図６】下カバーの下面側から見た図
【図７】レールガイドの断面を示す図
【図８】従来の光ディスク装置の構成を裏面から見た斜視図
【図９】従来の光ディスク装置を電子機器へ取り付ける方法を示す図
【図１０】従来の光ディスク装置の中央部をトレイ引き出し方向に垂直な面で切った断面図
【図１１】従来の光ディスク装置の筐体の上カバーを取り外した状態を示す図
【図１２】レールガイドを取り付ける様子を示す図
【符号の説明】
【００３８】
１    光ピックアップ
２    メインシャフト
３    サブシャフト
４    スピンドルモータ
５    ベース
６    光ピックアップモジュール
７    トレイ
７ａ    レール保持部
８    キャリッジ
９    レール
１０    筐体
１０ａ    上カバー
１０ｂ    下カバー
１０ｃ    上カバーと下カバーの嵌合部
１０ｄ    ディスク収納部
１０ｅ    ドライブ収納部
１０ｆ、１０ｇ    曲げ部
１０ｑ    側面
１１    光ディスク装置
１２    取り付けネジ穴
１３    回路基板
１４    フレーム
１５    携帯用電子機器
１６    アタッチメント
１７    アタッチメント側取り付け穴
１８    光ディスク
１９    レールガイド
２０    側面部
２１    張出部
２２    取り付け部
２３    取り付けピン
２４    ボトムケース
【図１】
2006164385.tif 000003
【図２】
2006164385.tif 000004
【図３】
2006164385.tif 000005
【図４】
2006164385.tif 000006
【図５】
2006164385.tif 000007
【図６】
2006164385.tif 000008
【図７】
2006164385.tif 000009
【図８】
2006164385.tif 000010
【図９】
2006164385.tif 000011
【図１０】
2006164385.tif 000012
【図１１】
2006164385.tif 000013
【図１２】
2006164385.tif 000014